(57)【要約】【課題】楽器の蓋の開閉を簡易に行うことができるとともに、蓋を各種の態様で有効利用することのできる楽器蓋構造及びこれを備える楽器を提供する。【解決手段】上部が開口し内部に楽器本体３を収容する楽器ケース２の後部側に回動可能に取り付けられ、楽器ケース２の開口の後部上方を覆うことが可能な第１の蓋部材４１と、第１の蓋部材４１の前部側に回動可能に取り付けられ、楽器ケース２の開口の前部上方を覆うことが可能な第２の蓋部材４２と、楽器ケース２の上部開口面に対する第１の蓋部材４１の回動角度を任意の角度に保持可能な第１のヒンジ軸６と、第１の蓋部材４１に対する第２の蓋部材４２の回動角度を任意の角度に保持可能な第２のヒンジ軸４４とを備えた。【選択図】図１
2015206954.tif 000002
【特許請求の範囲】
【請求項１】
上部が開口し内部に楽器本体を収容する楽器ケースの後部側に回動可能に取り付けられ、前記楽器ケースの開口の後部上方を覆うことが可能な第１の蓋部材と、
前記第１の蓋部材の前部側に回動可能に取り付けられ、前記楽器ケースの開口の前部上方を覆うことが可能な第２の蓋部材と、
前記楽器ケースの上部開口面に対する前記第１の蓋部材の回動角度を任意の角度に保持可能な第１の角度保持機構と、
前記第１の蓋部材に対する前記第２の蓋部材の回動角度を任意の角度に保持可能な第２の角度保持機構と、
を備えたことを特徴とする楽器蓋構造。
【請求項２】
前記第１の蓋部材及び前記第２の蓋部材は、
前記第１の蓋部材及び前記第２の蓋部材が前記楽器ケースの後方であって前記前記楽器ケースの上部開口面とほぼ水平となる位置まで傾倒した第１の開状態と、
少なくとも前記第２の蓋部材が前記楽器ケースの後方に傾斜した状態で起立する第２の開状態と、
を取り得るように構成されていることを特徴とする請求項１に記載の楽器蓋構造。
【請求項３】
前記楽器ケースの後方にはストッパ部材が設けられており、
前記第１の蓋部材及び前記第２の蓋部材が前記第１の開状態となったときには、前記第１の蓋部材及び前記第２の蓋部材が前記ストッパ部材によって支持される請求項２に記載の楽器蓋構造。
【請求項４】
前記第１の角度保持機構は、前記楽器ケースと前記第１の蓋部材との連結部分に設けられたトルクヒンジを含んでおり、
前記第２の角度保持機構は、前記第１の蓋部材と前記第２の蓋部材との連結部分に設けられたトルクヒンジを含んでいることを特徴とする請求項１から請求項３のいずれか一項に記載の楽器蓋構造。
【請求項５】
前記第１の角度保持機構は、前記楽器ケース及び前記第１の蓋部材のいずれか一方に設けられた係止用部材と、前記楽器ケース及び前記第１の蓋部材のいずれか他方に設けられ、この係止用部材が係止される被係止部と、で構成されており、
前記第２の角度保持機構は、前記第１の蓋部材及び前記第２の蓋部材のいずれか一方に設けられた係止用部材と、前記第１の蓋部材及び前記第２の蓋部材のいずれか他方に設けられ、この係止用部材が係止される被係止部と、で構成されていることを特徴とする請求項１から請求項３のいずれか一項に記載の楽器蓋構造。
【請求項６】
請求項１から請求項５のいずれか一項に記載の楽器蓋構造と、
楽器本体と、
上部が開口し前記楽器本体を収容する楽器ケースと、
を備えることを特徴とする楽器。
【発明の詳細な説明】
【技術分野】
【０００１】
本発明は、楽器蓋構造及び楽器に関するものである。
【背景技術】
【０００２】
従来、鍵盤楽器等において、楽器の上部を覆う蓋部材を楽器ケースに回動自在に取り付けた構成が知られている。
例えば特許文献１には、開閉装置によって上下方向に回動し、閉じたときに楽器ケース上に配置されて鍵盤を覆い隠す蓋として機能し、開いたときに楽器ケースの後方に少し傾いた状態で起立して譜面立てとして機能するように構成された蓋部材（鍵盤蓋）を鍵盤楽器に適用した例が開示されている。
特許文献１に記載の蓋部材を開閉させる開閉装置は、楽器ケースに設けられている一対の側板間に回転可能に設けられた回転支持軸と、この回転支持軸に一体的に取り付けられたアーム部材とを備え、このアーム部材が蓋部材の下面に取り付けられた構成になっている。これにより、蓋部材は、アーム部材が取り付けられた回転支持軸を回転中心として、その回転支持軸及びアーム部材と共に上下方向に回動するようになっている。
【先行技術文献】
【特許文献】
【０００３】
【特許文献１】特開２０１１−１３２５０号公報
【発明の概要】
【発明が解決しようとする課題】
【０００４】
しかしながら、特許文献１に記載の構成のように、蓋部材を１つの部材として構成すると、蓋部材を開閉するための動きが大きくなるため、例えば子供等が楽器を使用する場合に、スムーズな蓋部材の開閉が難しいという問題がある。
また、蓋部材を移動させるためには蓋部材全体を大きく回動させる必要があるため、蓋部材を開閉するためにある程度広いスペースが必要となる。
さらに、特許文献１に記載の構成では、蓋部材を閉じた状態と、蓋部材を後方に少し傾いた状態で起立させて譜面立てとして利用可能な状態の２つの態様しかとることができず、蓋部材の利用態様としてのバリエーションに乏しい。
【０００５】
本発明は以上のような事情に鑑みてなされたものであり、楽器の蓋部材の開閉を簡易に行うことができるとともに、蓋部材を各種の態様で有効利用することのできる楽器蓋構造及び楽器を提供することを目的とするものである。
【課題を解決するための手段】
【０００６】
前記課題を解決するために、本発明に係る楽器蓋構造は、
上部が開口し内部に楽器本体を収容する楽器ケースの後部側に回動可能に取り付けられ、前記楽器ケースの開口の後部上方を覆うことが可能な第１の蓋部材と、
前記第１の蓋部材の前部側に回動可能に取り付けられ、前記楽器ケースの開口の前部上方を覆うことが可能な第２の蓋部材と、
前記楽器ケースの上部開口面に対する前記第１の蓋部材の回動角度を任意の角度に保持可能な第１の角度保持機構と、
前記第１の蓋部材に対する前記第２の蓋部材の回動角度を任意の角度に保持可能な第２の角度保持機構と、
を備えたことを特徴としている。
【０００７】
また、本発明に係る楽器は、
請求項１から請求項５のいずれか一項に記載の楽器蓋構造と、
楽器本体と、
上部が開口し前記楽器本体を収容する楽器ケースと、
を備えることを特徴としている。
【発明の効果】
【０００８】
本発明によれば、楽器の蓋の開閉を簡易に行うことができるとともに、蓋を各種の態様で有効利用することができるという効果を奏する。
【図面の簡単な説明】
【０００９】
【図１】本実施形態の鍵盤楽器の閉状態における要部断面図である。
【図２】図１の蓋部材を開状態とする途中の状態を示す鍵盤楽器の要部断面図である。
【図３】図１の蓋部材を開状態とする途中の状態を示す鍵盤楽器の要部断面図である。
【図４】図１の鍵盤楽器の第１の開状態における要部断面図である。
【図５】図１の鍵盤楽器の第２の開状態における要部断面図である。
【図６】図５の鍵盤楽器の第２の開状態の一変形例における要部断面図である。
【図７】（ａ）は、従来の鍵盤楽器の閉状態における要部断面図であり、（ｂ）は、（ａ）の蓋部材を開状態とする途中の状態を示す鍵盤楽器の要部断面図であり、（ｃ）は、蓋部材を完全に引き起こした状態を示す鍵盤楽器の要部断面図であり、（ｄ）は、蓋部材を譜面台として利用する様子を示す鍵盤楽器の要部断面図である。
【図８】蓋部材構造の一変形を示す平面図である。
【図９】図８の蓋部材を開状態とした鍵盤楽器の要部断面図である。
【図１０】図８の蓋部材を開状態とした鍵盤楽器の要部断面図である。
【発明を実施するための形態】
【００１０】
図１から図７を参照しつつ、本発明に係る楽器蓋構造及びこれを備える楽器の一実施形態について説明する。本実施形態では、楽器が電子ピアノやキーボード等の鍵盤楽器である場合を例として説明する。
なお、以下に述べる実施形態には、本発明を実施するために技術的に好ましい種々の限定が付されているが、本発明の範囲を以下の実施形態及び図示例に限定するものではない。
【００１１】
図１は、本実施形態の楽器蓋構造を備える鍵盤楽器の閉状態における要部断面図である。
図２及び図３は、図１における楽器蓋を開状態とする過程を示す鍵盤楽器の要部断面図であり、図４及び図５は、図１に示す鍵盤楽器の開状態における要部断面図である。
図１等に示すように、本実施形態における楽器である鍵盤楽器１００は、楽器ケース２と、楽器本体３と、本実施形態の楽器蓋構造を構成する蓋部材４とを備えている。
【００１２】
図２に示すように、楽器ケース２は、上部が開口し内部に楽器本体３を収容するものである。
具体的には、楽器ケース２は、楽器本体３等を収容する空間である収容部２１を有し、この収容部２１の底面を構成する底面板２２と、この底面板２２の後端部（鍵盤楽器１００における後ろ側の端部、図１等において右側端部）から立設された背面板２３と、底面板２２の前端部（鍵盤楽器１００における前側の端部、図１等において左側端部）から立設された前面板２４と、これら底面板２２、背面板２３及び前面板２４の左右両端部にそれぞれ取り付けられた一対の側板２５と、を有している。
一対の側板２５は、楽器ケース２の側面を構成し、収容部２１の左右の側部を画している。なお、図１等では一方側の側板２５のみを図示している。
一対の側板２５の上端面には、蓋部材４（本実施形態では、第２の蓋部材４２）を支持する支持部材２５１が設けられている。
【００１３】
背面板２３の上端部には、楽器ケース２の後部上面を構成する天板部材２６が取り付けられている。天板部材２６は、背面板２３の上端部に固定される連結部２６１と、この連結部の上端部から鍵盤楽器１００における前方（図１等における左側）に向かって張り出した天板部２６２とを備えている。
天板部２６２は、一対の側板２５の上に架け渡されおり、楽器ケース２の後部上方を覆うように配置されている。
天板部２６２の前端側の上面には、蓋部材４（本実施形態では、第１の蓋部材４１）を支持する支持部材２６３が設けられている。
また、天板部２６２の前端部には、天板部２６２と楽器本体３との間の隙間を塞ぐように、垂設部２６４が垂設されている。垂設部２６４が天板部２６２と楽器本体３との間の隙間を塞ぐように配置されていることで、楽器ケース２内への埃等の異物の侵入を防ぐことができる。
【００１４】
また、天板部材２６の連結部２６１の外側面（すなわち、楽器ケース２の後方、鍵盤楽器１００における背面側、図１等における右側の面）には、後述する蓋部材４（第１の蓋部材４１、第２の蓋部材４２）を支持するストッパ部材５が設けられている。
後述するように、本実施形態では、第１の蓋部材４１及び第２の蓋部材４２は、楽器ケース２の後方であって楽器ケース２の上部開口面とほぼ水平となる位置まで傾倒した第１の開状態をとり得るようになっており、ストッパ部材５は、第１の蓋部材４１及び第２の蓋部材４１が第１の開状態となったときに、第１の蓋部材４１及び第２の蓋部材４２を支持する。
【００１５】
ストッパ部材５は、鍵盤楽器１００の幅方向（すなわち長手方向）に沿って延在し、ほぼ水平に配置される板状の基台部５１と、この基台部５１における前端部（図１等における左端部）に立設され、連結部２６１に固定される固定支持部５２とを備えている。
固定支持部５２は、例えば、基台部５１の左右の両端部に設けられている。なお、固定支持部５２が設けられる数や配置は特に限定されず、例えば、基台部５１の左右両端部の他、基台部５１の中央部や中央部近傍に１又は複数の固定支持部５２が設けられていてもよい。固定支持部５２が多く設けられる方が、ストッパ部材５が撓みにくく、耐荷重性も向上する。
固定支持部５２の上端側には、後述する第１のヒンジ軸６が挿通される貫通孔５３が形成されている。なお、基台部５１の左右の両端部に設けられる固定支持部５２には、貫通孔５３の代わりに、第１のヒンジ軸６の左右の端部を受ける凹部が形成されていてもよい。
基台部５１の上面には、蓋部材４（第１の蓋部材４１、第２の蓋部材４２）を支持する支持部材５４が設けられている。支持部材５４は、例えば固定支持部５２に対応する位置に配置されている。なお、支持部材５４の形状や配置等は特に限定されない、例えば、支持部材５４は、基台部５１の長手方向に延在して設けられる長尺な部材でもよい。
【００１６】
また、図示は省略するが、楽器ケース２には、鍵盤楽器１００の音量や音色等の各種機能を選択指定する複数のスイッチ等を有する図示しない操作スイッチ部が設けられている。操作スイッチ部は、例えば天板部材２６天板部２６２の上面や側板２５等に配置されている。
さらに、楽器ケース２は、鍵盤楽器１００における発音動作等を制御するための図示しない基板や、スピーカ等を備えている。
基板や、スピーカ等は、例えば楽器ケース２内の後部等に収納されている。
なお、基板、スピーカ、操作スイッチ部等が設けられる位置等はここに例示したものに限定されない。
【００１７】
楽器ケース２の収容部２１内には、楽器本体３が収容されている。また、楽器ケース２内には、楽器本体３を支持する鍵盤シャーシ３１が設けられている。
楽器本体３は、鍵盤シャーシ３１上に配列された多数の鍵（白鍵及び黒鍵）３５からなる。各鍵３５の後端部は鍵盤シャーシ３１の後端部に設けられた鍵支持部３２に回動軸３３を介して回動可能に取り付けられている。各鍵３５は、図示しない付勢部材により上方向に付勢されており、鍵３５を押し下げる押鍵操作が行われることによって、その前端側が回動軸３３の軸中心を回動中心として下方向に回動するとともに、押鍵操作が止むと、付勢部材の付勢力により押し上げられて上方向に回動し、もとの位置に復帰するように構成されている。
【００１８】
本実施形態の蓋部材４は、第１の蓋部材４１及び第２の蓋部材４２の２つの板状部材からなる。
第１の蓋部材４１は、楽器ケース２の後部側に回動可能に取り付けられ、楽器ケース２の開口の後部上方を覆うことが可能なものである。
本実施形態では、第１の蓋部材４１の後端部には図示しない軸挿通部が設けられており、第１の蓋部材４１は、この軸挿通部と固定支持部５２の貫通孔５３とに第１のヒンジ軸６を挿通させることで、第１のヒンジ軸６を介して、楽器ケース２の後部に取り付けられているストッパ部材５の固定支持部５２に回動可能に取り付けられている。
本実施形態の第１のヒンジ軸６は、楽器ケース２と第１の蓋部材４１との連結部分に設けられたトルクヒンジである。第１のヒンジ軸６は、楽器ケース２の上部開口面に対する第１の蓋部材４１の回動角度を任意の角度に保持可能な第１の角度保持機構として機能する。
なお、第１のヒンジ軸６は、無段階的に任意の回動角度で第１の蓋部材４１を保持できるものであってもよいし、何段階かの所定の角度を設定可能であって、当該所定の回動角度で第１の蓋部材４１を保持できるものであってもよい。
【００１９】
第１のヒンジ軸６に備えられるトルクヒンジ構造は、例えば、金属製の回転軸を内包するように樹脂によりモールド成形された軸支持部材を設け、金属製の回転軸と樹脂製の軸支持部材とを面摩擦抵抗を持ちつつ相対回転自在とすることにより、回転軸が任意の角度に回転及び固定されるようにしたものである。
なお、第１のヒンジ軸６に備えられるトルクヒンジの具体的な構成はここに例示したものに限定されない。第１のヒンジ軸６に備えられるトルクヒンジ構造は、楽器ケース２の上部開口面に対する第１の蓋部材４１の回動角度を任意の角度に保持可能なものであればよく、各種公知の構成を適用することができる。
【００２０】
また、第２の蓋部材４２は、第１の蓋部材４１の前端側（図１等において左側）に回動可能に取り付けられ、楽器ケース２の開口の前部上方を覆うことが可能なものである。
第１の蓋部材４１の前端部及び第２の蓋部材４２の後端部には、図示しない軸挿通部が設けられており、この第１の蓋部材４１の軸挿通部と第２の蓋部材４２の軸挿通部とに第２のヒンジ軸４４を挿通させることで、第１の蓋部材４１と第２の蓋部材４２とが第２のヒンジ軸４４を介して、回動可能に連結されている。
本実施形態の第２のヒンジ軸４４は、第１の蓋部材４１と第２の蓋部材４２との連結部分に設けられたトルクヒンジである。第２のヒンジ軸４４は、第１の蓋部材４１に対する第２の蓋部材４２の回動角度を任意の角度に保持可能な第２の角度保持機構として機能する。
なお、第２のヒンジ軸４４は、無段階的に任意の回動角度で第２の蓋部材４２を保持できるものであってもよいし、何段階かの所定の角度を設定可能であって、当該所定の回動角度で第２の蓋部材４２を保持できるものであってもよい。
第２のヒンジ軸４４に備えられるトルクヒンジ構造は、例えば、第１のヒンジ軸６に備えられるトルクヒンジ構造と同様である。なお、第２のヒンジ軸４４に備えられるトルクヒンジ構造が、第１のヒンジ軸６に備えられるトルクヒンジ構造と同じである必要はなく、異なる構成が採用されていてもよい。
【００２１】
本実施形態では、第１の蓋部材４１と、第２の蓋部材４２と、第１の角度保持機構として機能する第１のヒンジ軸６と、第２の角度保持機構として機能する第２のヒンジ軸４４と、によって楽器蓋構造が構成されている。
【００２２】
本実施形態における楽器蓋構造では、第１の蓋部材４１及び第２の蓋部材４２は、第１の蓋部材４１及び第２の蓋部材４２が楽器ケース２の開口を覆う閉状態（図１参照）と、第１の蓋部材４１及び第２の蓋部材４２が楽器ケース２の開口を開放する開状態（図４から図６参照）とをとり得るように構成されている。
本実施形態では、第１の蓋部材４１及び第２の蓋部材４２は、開状態として、第１の蓋部材４１及び第２の蓋部材４２が楽器ケース２の後方であって楽器ケース２の上部開口面とほぼ水平となる位置まで傾倒した第１の開状態（図４参照）と、少なくとも第２の蓋部材４２が楽器ケース２の後方に傾斜した状態で起立する第２の開状態（図５及び図６参照）と、を取り得るようになっている。
【００２３】
閉状態のときには、図１に示すように、第１の蓋部材４１及び第２の蓋部材４２がほぼ水平に楽器ケース２の上方に配置される。
この状態において、第１の蓋部材４１は、天板部材２６に設けられた支持部材２６３によって支持され、第２の蓋部材４２は、側板２５に設けられた支持部材２５１によって支持される。これにより、第１の蓋部材４１及び第２の蓋部材４２は、撓んだりすることなく、底面板２２とほぼ平行となる状態に保たれている。
【００２４】
また、第１の開状態のときには、図４に示すように、第２の蓋部材４２が第１の蓋部材４１の上に重なるように折り畳まれた状態で、楽器ケース２の後方であって楽器ケース２の上部開口面とほぼ水平となる位置まで傾倒する。
このとき、第１の蓋部材４１及び第２の蓋部材４２は、ストッパ部材５に設けられた支持部材５４の上に載置され、支持部材５４によって支持される。
【００２５】
また、第２の開状態のときには、例えば、図５に示すように、第２の蓋部材４２が第１の蓋部材４１の上に重なるように折り畳まれた状態で、楽器ケース２の後方に傾斜した状態で起立する。
このとき、第１の蓋部材４１及び第２の蓋部材４２の角度は、第１の角度保持機構として機能する第１のヒンジ軸６によって任意の、又は所定の角度に保持される。
【００２６】
なお、第２の開状態は、図５に示すものに限定されず、例えば、図６に示すように、第２の蓋部材４２の前端部が天板部材２６の上に載置され、第１の蓋部材４１の下側面、第２の蓋部材４２の下側面及び天板部材２６の上面とによってほぼ三角形が形成される状態で第２の蓋部材４２の角度が保持されてもよい。このとき、第２の蓋部材４２の角度は、第２の角度保持機構として機能する第２のヒンジ軸４４によって任意の、又は所定の角度に保持される。また、天板部材２６の上に設けられている支持部材２６３が第２の蓋部材４２の前端部に突き当たり、第２の蓋部材４２の前端部が楽器ケース２の前方にずれないように位置決めする位置決め部として機能してもよい。この場合には、より確実に第２の蓋部材４２の角度を保持させることができる。
なお、第２の蓋部材４２の前端部の位置は、図６に示すものに限定されず、例えば第２の蓋部材４２の前端部が支持部材２６３の上に載置された状態で第２の蓋部材４２の角度が保持されてもよい。また、第２の蓋部材４２の前端部を複数の異なる位置に配置可能とすることにより、第２の蓋部材４２の角度を複数段階に調整可能としてもよい。
【００２７】
図７（ａ）から図７（ｄ）は、従来の鍵盤楽器２００の蓋部材９の構成の一例を示した図である。
図７（ａ）に示すように、従来の蓋部材９は、例えば、１枚の板で構成された蓋部材本体９１を備えている。この蓋部材本体９１の裏面側にはアーム部材９５が取り付けられており、アーム部材９５には回転軸９６が一体的に設けられている。回転軸９６の両端部は楽器ケース２の左右の側板２５にそれぞれ回動可能に取り付けられている。これにより、蓋部材９は、アーム部材９５が取り付けられた回転軸９６の軸中心を回転中心として、上下方向に回動するようになっている。
蓋部材本体９１の裏面側（図７（ａ）において下側）の前端側（図７（ａ）において左側）には、突き当て部材９２が設けられている。閉状態においては、この突き当て部材９２が側板２５の上端面に突き当てられた状態となっている。
また、蓋部材本体９１の裏面側（図７（ａ）において下側）の後端側（図７（ａ）において右側）には、支持部材９３が設けられている。開状態においては、図７（ｄ）に示すように、この支持部材９３が楽器ケース２の裏面側に突き当てられることにより、蓋部材９が、楽器ケース２の後方に少し傾斜した状態で起立するように支持される。この開状態において、蓋部材９は譜面Ｐ等を立て掛けることができる状態となり、蓋部材９を譜面立てとして利用することができる。
しかし、この従来の構成では、蓋部材９は、楽器ケース２の開口を覆う閉状態と、楽器ケース２の開口部を開放し、蓋部材９を譜面立てとして利用することのできる開状態の２つの態様しかとることができない。
また、蓋部材９が１つの部材として構成され、蓋部材９を開閉させるときには、図７（ａ）から図７（ｄ）に示すように、蓋部材９全体を回動させる必要がある。このため、開閉の際の蓋部材９の動きが大きく、開閉動作を行うために広いスペースが必要であるとともに、蓋部材９を開閉しようとした場合に力を要し、例えば子供等の力の弱いものがスムーズに蓋部材９の開閉動作を行うことが難しい。
この点、本実施形態に示す楽器蓋構造を適用すれば、蓋部材４が２枚に分割されているために狭い場所でも開閉動作が可能であり、弱い力でも容易かつスムーズに蓋部材４の開閉動作を行うことができる。
また、本実施形態に示す楽器蓋構造では、楽器ケース２の開口を覆う閉状態の他、少なくとも２種類の開状態（第１の開状態及び第２の開状態）をとることができ、第１の開状態のときには、端末装置Ｍ等を置くことのできる物置台として蓋部材４を利用することができ、第２の開状態のときには蓋部材４を譜面Ｐ等を立て掛けることのできる譜面立てとして利用することができ、その角度もユーザの所望の角度に調整することができる。
【００２８】
次に、本実施形態における楽器蓋構造及びこれを備える楽器（鍵盤楽器１００）の作用について説明する。
【００２９】
まず、楽器蓋構造の閉状態においては、図１に示すように、第１の蓋部材４１によって楽器ケース２の開口の後部上方が覆われ、第２の蓋部材４２によって楽器ケース２の開口の前部上方が覆われた状態となっている。
この閉状態において、第１の蓋部材４１は支持部材２６３によって下方から支持され、第２の蓋部材４２は支持部材２５１によって下方から支持されて、第１の蓋部材４１及び第２の蓋部材４２が底面板２２とほぼ平行となる状態に保持される。
【００３０】
楽器蓋構造を開状態とする際には、図２及び図３に示すように、第１の蓋部材４１を第１のヒンジ軸６の軸中心を回動中心として後方に回動させながら、第２の蓋部材４２を第２のヒンジ軸４４の軸中心を回動中心として下方に回動させる。
第１の開状態とする場合には、図４に示すように、第２の蓋部材４２を第１の蓋部材４１の上に重なる位置まで回動させ、第１の蓋部材４１及び第２の蓋部材４２が重なり合った状態で、楽器ケース２の後方であって楽器ケース２の上部開口面とほぼ水平となる位置まで傾倒させる。このとき、第１の蓋部材４１及び第２の蓋部材４２は、ストッパ部材５に設けられた支持部材５４によって支持され、楽器ケース２の上部開口面とほぼ水平となる位置よりも下方に回動しないよう保持される。これにより、第１の蓋部材４１及び第２の蓋部材４２を各種の端末装置Ｍ（携帯端末装置、タブレット端末装置等）や譜面等を置く台として利用可能な状態となる。
【００３１】
第２の開状態とする場合には、例えば、図５に示すように、第１の蓋部材４１及び第２の蓋部材４２が重なり合った状態で、楽器ケース２の後方に傾斜した状態で起立させる。このとき、第１の蓋部材４１及び第２の蓋部材４２の角度は、第１の角度保持機構として機能する第１のヒンジ軸６によって任意の、又は所定の角度に保持される。
ここで、「任意の、又は所定の角度」とは、譜面Ｐや各種の端末装置Ｍ（携帯端末装置、タブレット端末装置等）等を立て掛けるのに適した角度である。第１の蓋部材４１及び第２の蓋部材４２をこのような角度の位置で保持可能とすることにより、第１の蓋部材４１及び第２の蓋部材４２が開状態となった際に、第１の蓋部材４１及び第２の蓋部材４２に譜面立てとしての機能を持たせることが可能となる。
なお、上記「任意の、又は所定の角度」は、図示例に限定されず、適宜設定が可能である。
また、「任意の、又は所定の角度」は、１つに限定されない。第１の角度保持機構として機能する第１のヒンジ軸６を段階的又は無段階的に角度調整ができる構成とすることにより、複数段階に任意に角度を調整できるようにしてもよい。このように構成することで、第１の蓋部材４１及び第２の蓋部材４２の角度をユーザにとって譜面Ｐ等を見やすい角度に調整することが可能となる。
【００３２】
さらに、第２の開状態として、図６に示すように、第２の蓋部材４２の前端部が天板部材２６の上に載置され、第２の角度保持機構として機能する第２のヒンジ軸４４によって、第２の蓋部材４２が、任意の、又は所定の角度に保持されるようにしてもよい。
この場合、天板部材２６の上に設けられている支持部材２６３が第２の蓋部材４２の前端部に突き当たるようにすることで、第２の蓋部材４２の前端部が位置決めされ、より確実に第２の蓋部材４２の角度を保持させることができる。この場合にも、第２の蓋部材４２に譜面立てとしての機能を持たせることが可能となる。
なお、第２の蓋部材４２の前端部を載置する位置を変えることによって、第２の蓋部材４２の角度を複数段階に調整可能としてもよい。このようにすることで、第２の蓋部材４２の角度をユーザにとって譜面Ｐ等を見やすい角度に調整することが可能となる。
【００３３】
このように、第１の蓋部材４１及び第２の蓋部材４２を第１の開状態とすることにより、ユーザは第１の蓋部材４１及び第２の蓋部材４２の上に譜面Ｐ等を置いた状態で、鍵３５を押鍵して演奏することが可能な状態となる。
また、第１の蓋部材４１及び第２の蓋部材４２を第２の開状態とすることにより、ユーザは譜面Ｐ等を参照しながら鍵３５を押鍵して演奏することが可能な状態となる。
【００３４】
また、開状態となった第１の蓋部材４１及び第２の蓋部材４２を再び閉状態とする際には、第２の蓋部材４２を第２のヒンジ軸４４の軸中心を回動中心として上方に回動させながら、第１の蓋部材４１を第１のヒンジ軸６の軸中心を回動中心として前方に回動させる。
そして、第１の蓋部材４１が支持部材２６３によって支持され、第２の蓋部材４２が支持部材２５１によって支持されて、第１の蓋部材４１及び第２の蓋部材４２が底面板２２とほぼ平行となる位置まで移動させることで、鍵盤楽器１００は、第１の蓋部材４１及び第２の蓋部材４２が楽器ケース２の開口を覆う閉状態となる。
【００３５】
以上のように、本実施形態によれば、楽器ケース２の後部側に回動可能に取り付けられ、楽器ケース２の開口の後部上方を覆うことが可能な第１の蓋部材４１と、第１の蓋部材４１の前部側に回動可能に取り付けられ、楽器ケース２の開口の前部上方を覆うことが可能な第２の蓋部材４２と、第１の蓋部材４１の、楽器ケース２の上部開口面に対する回動角度を任意の角度に保持可能な第１の角度保持機構としての第１のヒンジ軸６と、第２の蓋部材４２の、第１の蓋部材４１に対する回動角度を任意の角度に保持可能な第２の角度保持機構としての第２のヒンジ軸４４とを備え、第１の蓋部材４１及び第２の蓋部材４２が閉状態と開状態とをとり得るようになっている。
このように、蓋部材４が第２のヒンジ軸４４によって連結された２つの部材で構成されているため、第１の蓋部材４１及び第２の蓋部材４２を折り畳みながら蓋部材４の開閉動作を行うことができる。このため、子供等、比較的力の弱いユーザが蓋部材４の開閉を行う場合でも、円滑、安全に蓋部材４の開閉動作を行うことができる。また、それほど広いスペースを確保しなくても円滑に蓋部材４を開閉することができる。
また、楽器ケース２と第１の蓋部材４１とを連結する第１のヒンジ軸６及び第１の蓋部材４１と第２の蓋部材４２とを連結する第２のヒンジ軸４４が回動角度を任意の角度に保持可能な構成となっているため、第１の蓋部材４１や第２の蓋部材４２の角度を、ユーザにとって譜面Ｐ等が見やすく演奏しやすい角度に適宜調整することができる。
また、本実施形態では、開状態として、第１の蓋部材４１及び第２の蓋部材４２がほぼ水平となる位置まで傾倒した第１の開状態と、少なくとも第２の蓋部材４２が楽器ケース２の後方に傾斜した状態で起立する第２の開状態とを取り得るようになっている。このため、蓋部材４を携帯端末装置等を置く台として利用したいときには第１の開状態とし、譜面立てとして利用したいときには第２の開状態とする、というように、用途に応じて第１の蓋部材４１及び第２の蓋部材４２の位置や角度を任意に調整することができ、蓋部材４の利用態様のバリエーションが広がる。
また、楽器ケース２の後方にはストッパ部材５が設けられており、第１の蓋部材４１及び第２の蓋部材４２が第１の開状態となったときには、第１の蓋部材４１及び第２の蓋部材４２がストッパ部材５によって支持される。このため、第１の蓋部材４１及び第２の蓋部材４２が後方に倒れすぎないように位置が保持されるとともに、第１の開状態となった際に第１のヒンジ軸６にかかる負担を抑えて第１のヒンジ軸６部分の損傷等を回避することができる。
また、第１の角度保持機構としての第１のヒンジ軸６及び第２の角度保持機構としての第２のヒンジ軸４４はトルクヒンジ構造を備えている。このため、第１の蓋部材４１及び第２の蓋部材４２の回転角度を複数段階に調整可能な構成を、比較的簡易な構成で実現することができる。
【００３６】
なお、以上本発明の実施形態について説明したが、本発明は、かかる実施形態に限定されず、その要旨を逸脱しない範囲で、種々変形が可能であることは言うまでもない。
【００３７】
例えば、本実施形態では、第１の蓋部材４１及び第２の蓋部材４２の回転角度を複数段階に調整可能な第１の角度保持機構及び第２の角度保持機構の構成として、第１のヒンジ軸６及び第２のヒンジ軸４４がトルクヒンジ構造を備えている場合を例示したが、第１の角度保持機構及び第２の角度保持機構の構成はこれに限定されない。
例えば、楽器ケースの上部開口面に対する第１の蓋部材７１の回動角度を任意の角度に保持可能な第１の角度保持機構を、楽器ケース２及び第１の蓋部材７１のいずれか一方に設けられた係止用部材と、楽器ケース２及び第１の蓋部材７１のいずれか他方に設けられ、この係止用部材が係止される被係止部と、で構成してもよい。
また、第１の蓋部材７１に対する第２の蓋部材７２の回動角度を任意の角度に保持可能な第２の角度保持機構を、第１の蓋部材７１及び第２の蓋部材７２のいずれか一方に設けられた係止用部材と、第１の蓋部材７１及び第２の蓋部材７２のいずれか他方に設けられ、この係止用部材が係止される被係止部と、で構成してもよい。
【００３８】
ここで、第１の角度保持機構及び第２の角度保持機構の変形例について、図８から図１０を参照しつつ説明する。
なお、図８では、各部材の位置関係を図示する都合上、第１の蓋部材７１及び第２の蓋部材７２をともに楽器ケース２の上にほぼ垂直に立ち上げた状態を鍵盤楽器２００の前側から見た様子を示している。
【００３９】
例えば、図８及び図９には、第１の角度保持機構を構成する係止用部材５６が、ストッパ部材５の長手方向の中央部近傍に配置された支持部材５４に支軸５５を介して回動可能に取り付けられており、この係止用部材５６が係止される被係止部７１１が第１の蓋部材７１に設けられている場合を例示している。
被係止部７１１は、図９に示すように、第１の溝部７１１ａとこの第１の溝部７１１ａよりも第１の蓋部材７１の基端側（すなわち、ストッパ部材５への取り付け側、図８及び図９において下側）に位置し、第１の溝部７１１ａよりも深さの深い第２の溝部７１１ｂとで構成されている。
係止用部材５６は、第１の蓋部材７１の傾斜角度に応じて、第１の溝部７１１ａ又は第２の溝部７１１ｂに係止される棒状の部材である。
【００４０】
図９に示すように、第１の蓋部材７１と第２の蓋部材７２とが重なり合い、蓋部材７全体が楽器ケース２の後方であって楽器ケース２の上部開口面とほぼ水平となる位置まで傾倒する第１の開状態（図９において二点鎖線で示す状態）となったときには、係止用部材５６は、第１の溝部７１１ａの上端部近傍に係止される。
また、第１の蓋部材７１と第２の蓋部材７２とが重なり合い、蓋部材７全体が楽器ケース２の後方に傾斜した状態で起立する第２の開状態（図９において実線で示す状態）となったときには、係止用部材５６は、第２の溝部７１１ｂの上端部近傍（すなわち、第１の溝部７１１ａとの境の段部）に係止される。
第１の角度保持機構をこのような構成とすることで、第１のヒンジ軸６にトルクヒンジ構造を備える必要がなく、単純な軸部材で構成することができる。この場合でも、蓋部材７に閉状態、第１の開状態、第２の開状態の３つの態様をとらせることが可能となる。
なお、係止用部材５６及び被係止部７１１を設ける位置や形状等は図示例に限定されない。例えば、係止用部材を第１の蓋部材７１に設け、楽器ケース２の側に、この係止用部材を受ける被係止部を形成してもよい。
【００４１】
また、図８及び図１０には、第２の角度保持機構を構成する係止用部材７１２が、第１の蓋部材７１の左右の外側面に支軸７１３を介して回動可能に取り付けられており、この係止用部材７１２が係止される被係止部７２１が第２の蓋部材７２の左右の外側面に設けられている場合を例示している。
被係止部７２１は、図１０に示すように、第２の蓋部材７２の上面側の外側面に、基端側（すなわち、第１の蓋部材７１への取り付け側、図８において下側）から自由端側（図８において上側）に延在して形成された溝部７２１ａとこの溝部７２１ａの途中に形成された凸部７２１ｂとで構成されている。
係止用部材７１２は、第１の蓋部材７１の傾斜角度に応じて、溝部７２１ａの上端部近傍又は溝部７２１ａ内に設けられている凸部７２１ｂに係止される棒状の部材であり、第１の蓋部材７１の側部に、支軸７１３によって支軸７１３の軸中心を回動中心として回動自在に取り付けられている。係止用部材７１２は、その自由端側（すなわち、支軸７１３に取り付けられているのとは逆側）に係止突起部７１４を備えている。係止突起部７１４は、係止用部材７１２から蓋部材７の側面側（図８において内側）に向かって突出しており、図８に示すように、溝部７２１内に嵌るようになっている。
【００４２】
図１０に示すように、第１の蓋部材７１と第２の蓋部材７２とが重なり合い、蓋部材７全体が楽器ケース２の後方であって楽器ケース２の上部開口面とほぼ水平となる位置まで傾倒する第１の開状態（図１０において二点鎖線で示す状態）となったときには、係止用部材７１２の係止突起部７１４は、溝部７２１ａの上端部近傍に係止される。
また、第２の蓋部材７２が楽器ケース２の後方に傾斜した状態で起立する第２の開状態（図１０において実線で示す状態）となったときには、係止用部材７１２の係止突起部７１４は、溝部７２１内の凸部７２１ｂの上側に係止される。これにより、第２の蓋部材７２は、係止用部材７１２によって前方（図１０における左方向）に引っ張られるようになっており、係止用部材７１２の長さ及び凸部７２１ｂの位置に応じた所定の角度となる位置に保持される。
さらに、第１の蓋部材７１と第２の蓋部材７２とがほぼ水平に並んだ状態で、蓋部材７全体が楽器ケース２の後方であって楽器ケース２の上部開口面とほぼ水平となる位置まで傾倒させた場合（図１０において一点鎖線で示す状態）には、係止用部材７１２の係止突起部７１４は、溝部７２１内の凸部７２１ｂの下側に係止される。これにより、第２の蓋部材７２が楽器ケース２の上部開口面とほぼ水平となる位置よりも下方に回動しないよう係止用部材７１２によって支持される。
なお、第１の蓋部材７１には収容溝部７１５が形成されており、蓋部材が閉状態となっている場合等、係止用部材７１２によって第２の蓋部材７２を係止する必要がないときには、係止用部材７１２の係止突起部７１４が収容溝部７１５内に収容されるようになっている。
第２の角度保持機構をこのような構成とすることで、第２のヒンジ軸７４にトルクヒンジ構造を備える必要がなく、単純な軸部材で構成することができる。この場合でも、蓋部材７に閉状態、第１の開状態、第２の開状態の３つの態様をとらせることが可能となる。
なお、係止用部材７１２及び被係止部７２１を設ける位置や形状等は図示例に限定されない。例えば、係止用部材を第２の蓋部材７２に設け、第１の蓋部材７１の側に、この係止用部材を受ける被係止部を形成してもよい。
【００４３】
上記のような第１の角度保持機構及び第２の角度保持機構を備えることにより、蓋部材７が楽器ケース２の後方に傾斜した状態で起立する第２の開状態として、図９に示すような比較的楽器ケース２に近い位置で蓋部材７が起立する態様と、図１０に示すような比較的楽器ケース２から遠い位置（すなわち、第１の蓋部材７１の幅（図１０における横方向の長さ）の分だけ遠くなる位置）で蓋部材７が起立する態様の２つの態様をとり得る。このため、譜面Ｐ等を立て掛ける位置をユーザの好みによって選択することができる。
なお、上記のように、第１の角度保持機構及び第２の角度保持機構のいずれでも蓋部材７の閉状態、第１の開状態、第２の開状態を実現できる場合には、第１の角度保持機構及び第２の角度保持機構のうちいずれか一方のみを備えるようにしてもよい。
また、第１のヒンジ軸、第２のヒンジ軸にトルクヒンジ構造を適用した場合でも、上記のような係止用部材及び被係止部を併せて設けてもよい。係止用部材及び被係止部を補助的に備えることで、ヒンジ部分にかかる負担を抑えて第１のヒンジ軸、第２のヒンジ軸の損傷を回避することができる。
〔付記〕
＜請求項１＞
上部が開口し内部に楽器本体を収容する楽器ケースの後部側に回動可能に取り付けられ、前記楽器ケースの開口の後部上方を覆うことが可能な第１の蓋部材と、
前記第１の蓋部材の前部側に回動可能に取り付けられ、前記楽器ケースの開口の前部上方を覆うことが可能な第２の蓋部材と、
前記楽器ケースの上部開口面に対する前記第１の蓋部材の回動角度を任意の角度に保持可能な第１の角度保持機構と、
前記第１の蓋部材に対する前記第２の蓋部材の回動角度を任意の角度に保持可能な第２の角度保持機構と、
を備えたことを特徴とする楽器蓋構造。
＜請求項２＞
前記第１の蓋部材及び前記第２の蓋部材は、
前記第１の蓋部材及び前記第２の蓋部材が前記楽器ケースの後方であって前記前記楽器ケースの上部開口面とほぼ水平となる位置まで傾倒した第１の開状態と、
少なくとも前記第２の蓋部材が前記楽器ケースの後方に傾斜した状態で起立する第２の開状態と、
を取り得るように構成されていることを特徴とする請求項１に記載の楽器蓋構造。
＜請求項３＞
前記楽器ケースの後方にはストッパ部材が設けられており、
前記第１の蓋部材及び前記第２の蓋部材が前記第１の開状態となったときには、前記第１の蓋部材及び前記第２の蓋部材が前記ストッパ部材によって支持される請求項２に記載の楽器蓋構造。
＜請求項４＞
前記第１の角度保持機構は、前記楽器ケースと前記第１の蓋部材との連結部分に設けられたトルクヒンジを含んでおり、
前記第２の角度保持機構は、前記第１の蓋部材と前記第２の蓋部材との連結部分に設けられたトルクヒンジを含んでいることを特徴とする請求項１から請求項３のいずれか一項に記載の楽器蓋構造。
＜請求項５＞
前記第１の角度保持機構は、前記楽器ケース及び前記第１の蓋部材のいずれか一方に設けられた係止用部材と、前記楽器ケース及び前記第１の蓋部材のいずれか他方に設けられ、この係止用部材が係止される被係止部と、で構成されており、
前記第２の角度保持機構は、前記第１の蓋部材及び前記第２の蓋部材のいずれか一方に設けられた係止用部材と、前記第１の蓋部材及び前記第２の蓋部材のいずれか他方に設けられ、この係止用部材が係止される被係止部と、で構成されていることを特徴とする請求項１から請求項３のいずれか一項に記載の楽器蓋構造。
＜請求項６＞
請求項１から請求項５のいずれか一項に記載の楽器蓋構造と、
楽器本体と、
上部が開口し前記楽器本体を収容する楽器ケースと、
を備えることを特徴とする楽器。
【符号の説明】
【００４４】
２        楽器ケース
３        楽器本体
４        蓋部材
５        ストッパ部材
６        第１のヒンジ軸
４１      第１の蓋部材
４２      第２の蓋部材
４４      第２のヒンジ軸
【図１】
2015206954.tif 000003
【図２】
2015206954.tif 000004
【図３】
2015206954.tif 000005
【図４】
2015206954.tif 000006
【図５】
2015206954.tif 000007
【図６】
2015206954.tif 000008
【図７】
2015206954.tif 000009
【図８】
2015206954.tif 000010
【図９】
2015206954.tif 000011
【図１０】
2015206954.tif 000012